(57)【要約】【課題】室内を冷房する室内ユニットのドレンパンからのドレンを建物の外壁面に散水して冷房負荷を低減可能とする外壁面冷却手段を備えた空気調和装置とするものである。【解決手段】室内１１ａ、１２ａを冷房する室内ユニット２のドレンパンからのドレンを建物１の外壁面１３に散水可能な散水配管３３により形成されて前記外壁面１３を冷却する外壁面冷却手段と、前記外壁面冷却手段を前記室内ユニット２の冷房運転中であって予め設定した時刻に作動させるとともに予め設定した時刻に不作動とする制御手段を備えることにより、冷房運転により発生しそのまま排水されていたドレンを利用して、前記外壁面１３を冷却し、冷房負荷のピークを小さくして消費電力のピークを小さくすることができるようにしたのである。【選択図】図６
2013122343.tif 000002
【特許請求の範囲】
【請求項１】
室内空気を冷却及び除湿する室内熱交換器と、前記室内熱交換器で除湿されたドレンを受けるドレンパンとを備え建物の室内を冷房する室内ユニットを有する空気調和装置において、
前記ドレンパンからのドレンを前記建物の外壁面に散水可能な散水配管により形成されて前記外壁面を冷却する外壁面冷却手段と、前記外壁面冷却手段を前記室内ユニットの冷房運転中であって予め設定した時刻に作動させるとともに予め設定した時刻に不作動とする制御手段とを備えていることを特徴とする外壁面冷却手段を備えた空気調和装置。
【請求項２】
前記制御手段は、外気温度を検出する温度センサーを設けて前記外壁面冷却手段を、外気温度が予め設定した設定温度よりも高いとき作動させるとともに予め設定した設定温度よりも低いとき不作動とするようにしていることを特徴とする請求項１に記載の外壁面冷却手段を備えた空気調和装置。
【請求項３】
前記制御手段は、外気湿度を検出する湿度センサーを設けて前記外壁面冷却手段を、外気湿度が予め設定した相対湿度よりも低いとき作動させるとともに予め設定した相対湿度よりも高いとき不作動とするようにしていることを特徴とする請求項１又は請求項２に記載の外壁面冷却手段を備えた空気調和装置。
【請求項４】
室内空気を冷却及び除湿する室内熱交換器と、前記室内熱交換器で除湿されたドレンを受けるドレンパンとを備えた空気調和装置の室内ユニットにより室内の冷房を行う建物において、
光触媒の表面層が形成された前記建物の外壁面と、前記ドレンパンからのドレンを前記外壁面に散水可能な散水配管により形成されて前記外壁面を冷却する外壁面冷却手段と、前記外壁面冷却手段を前記室内ユニットの冷房運転中であって予め設定した時刻に作動させるとともに予め設定した時刻に不作動とする制御手段とを備えたことを特徴とする外壁面冷却手段を備えた建物。
【請求項５】
前記制御手段は、外気温度を検出する温度センサーを設けて前記外壁面冷却手段を、外気温度が予め設定した設定温度よりも高いとき作動させるとともに予め設定した設定温度よりも低いとき不作動とするようにしていることを特徴とする請求項４に記載の外壁面冷却手段を備えた建物。
【請求項６】
前記制御手段は、外気湿度を検出する湿度センサーを設けて前記外壁面制御手段を、外気湿度が予め設定した相対湿度よりも低いとき作動させるとともに予め設定した相対湿度よりも高いとき不作動とするようにしていることを特徴とする請求項４又は請求項５に記載の外壁面冷却手段を備えた建物。
【発明の詳細な説明】
【技術分野】
【０００１】
本発明は、外壁面冷却手段を備えた空気調和装置及び外壁面冷却手段を備えた建物に係り、室内を冷房する室内ユニットのドレンパンからのドレンを建物の外壁面に散水可能な散水配管により前記外壁面を冷却する外壁面冷却手段を形成し、前記外壁面冷却手段を前記室内ユニットの冷房運転中であって予め設定した時刻に作動させるとともに予め設定した時刻に不作動とする制御手段を備えた建物の外壁面の冷却に関する技術である。
【背景技術】
【０００２】
平成２３年３月に発生した福島第一原子力発電所の事故に伴い、国内の原子力発電所では定期検査後の原子力発電の再稼働が規制され、各電力会社の供給電力が最大需要電力に対して余裕がなくなり、ピーク電力のカットが要請されている。
本発明は、前記ピーク電力のカットに対応するために、夏季の冷房運転の必要な建物における冷房負荷のピークを小さくすることにより、消費電力のピークを小さくしようとするものである。
【０００３】
従来、建物の冷房負荷を小さくするために、建物の壁面に雨水、水道水などの膜を形成するようにした壁面冷却システムが知られている。（例えば、特許文献１参照）。
【先行技術文献】
【特許文献】
【０００４】
【特許文献１】特開２００８−１４４３７５号公報
【発明の概要】
【発明が解決しようとする課題】
【０００５】
特許文献１に記載された従来の技術は、建物の壁面を冷却する水として雨水、水道水などを使用しているため、冷房負荷の大きい夏季においては晴天が続き雨降りの日が極端に少なく、水道水による壁面冷却とせざるを得ないこととなり、水道水の費用が嵩むこと及び夏季の水不足により水道水の利用が難しいという課題がある。
【０００６】
本発明は、特許文献１に記載の従来例における建物の壁面の冷却に雨水、水道水などを使用する場合の課題を解決しようとするものであり、室内ユニットのドレンパンからのドレンを建物の外壁面に散水可能な散水配管により外壁面冷却手段を形成して、冷房運転時のドレンにより冷房運転の必要な建物における冷房負荷のピークを小さくして消費電力のピークを小さくすることを目的としている。
【課題を解決するための手段】
【０００７】
本発明の外壁面冷却手段を備えた空気調和装置は、室内空気を冷却及び除湿する室内熱交換器と、前記室内熱交換器で除湿されたドレンを受けるドレンパンとを備え建物の室内を冷房する室内ユニットを有する空気調和装置において、前記ドレンパンからのドレンを前記建物の外壁面に散水可能な散水配管により形成されて前記外壁面を冷却する外壁面冷却手段と、前記外壁面冷却手段を前記室内ユニットの冷房運転中であって予め設定した時刻に作動させるとともに予め設定した時刻に不作動とする制御手段とを備えたものである。
また、本発明の外壁面冷却手段を備えた建物は、室内空気を冷却及び除湿する室内熱交換器と、前記室内熱交換器で除湿されたドレンを受けるドレンパンとを備えた空気調和装置の室内ユニットにより室内の冷房を行う建物において、光触媒の表面層が形成された前記建物の外壁面と、前記ドレンパンからのドレンを前記外壁面に散水可能な散水配管により形成されて前記外壁面を冷却する外壁面冷却手段と、前記外壁面冷却手段を前記室内ユニットの冷房運転中であって予め設定した時刻に作動させるとともに予め設定した時刻に不作動とする制御手段とを備えたものである。
【発明の効果】
【０００８】
本発明の外壁面冷却手段を備えた空気調和装置は、ドレンパンからのドレンを建物の外壁面に散水可能な散水配管により形成されて前記外壁面を冷却する外壁面冷却手段と、前記外壁面冷却手段を室内ユニットの冷房運転中であって予め設定した時刻に作動させるとともに予め設定した時刻に不作動とする制御手段とを備えたから、冷房運転により発生しそのまま排水されていたドレンを利用して、冷房負荷のピークを小さくして消費電力のピークを小さくすることができるのである。
また、本発明の外壁面冷却手段を備えた建物は、外壁面に光触媒の表面層を形成したから、前記光触媒の超親水作用により前記外壁面に水膜を形成することにより、前記外壁面の冷却をさらに良好にできるのである。
【図面の簡単な説明】
【０００９】
【図１】本発明の実施の形態１に係る概略説明図である。
【図２】本発明の実施の形態１に係る室内ユニットの正面断面図である。
【図３】図２のIII―III線断面図である。
【図４】本発明の実施の形態１に係る散水配管及び外壁面の説明図である。
【図５】本発明の実施の形態１に係る散水を制御するブロック図である。
【図６】本発明の実施の形態２に係る概略説明図である。
【図７】本発明の実施の形態２に係るドレンパン周りの説明図である。
【図８】本発明の実施の形態２に係る散水を制御するブロック図である。
【図９】本発明の実施の形態３に係る概略説明図である。
【図１０】本発明の実施の形態３に係るドレンパン周りの説明図である。
【図１１】本発明の実施の形態３に係る散水を制御するブロック図である。
【発明を実施するための形態】
【００１０】
実施の形態１．
図１〜図５は、本発明の実施の形態１に係る図面であり、図１は全体の概略を示す説明図、図２及び図３は室内ユニットの断面図、図４は散水配管及び外壁面の説明図、図５は散水を制御するブロック図である。
図１において、１は建物で、２階建を示しており、１階部分１１と２階部分１２とはそれぞれ室内１１ａ、１２ａと天井裏１１ｂ、１２ｂとに区画されている。
【００１１】
前記各天井裏１１ｂ、１２ｂには、前記各室内１１ａ、１２ａを冷房する空気調和装置の室内ユニット２を設置している。
前記室内ユニット２は、図２及び図３に示すように、前記室内１１ａ、１２ａの室内空気を冷却及び除湿する室内熱交換器２１と、前記室内熱交換器２１で除湿されたドレンを受けるドレンパン２２と、ドレンポンプ２３と、ドレン出口２４と、送風機２５と、吸込ダクト接続口２６と、吹出ダクト接続口２７と、ケーシング２８と、吊金具２９とを備え、室外ユニット（図示せず）に接続されて空気調和装置を構成している。  
【００１２】
そして、図１において、前記各天井裏１１ｂ、１２ｂには、前記各室内ユニット２からのドレンを貯水する貯水タンク３、３が設置されている。
前記各貯水タンク３は、前記室内ユニット２の前記ドレン出口２４（図３参照）と貯水用配管３１で接続されており、前記ドレンパン２２に溜まったドレンを前記ドレンポンプ２３により前記貯水用配管３１を介して貯水するようにしている。
【００１３】
また、前記貯水タンク３の下方に散水用電磁弁３２を介設した散水配管３３を接続し、前記散水配管３３を建物１の外壁面１３に近接して水平方向に延設している。
前記散水配管３３は、図４に示すように、水平部分３３ａに多数の小孔３３ｂを前記外壁面１３に向けて開口させ、前記水平部分３３ａの先端部を閉鎖している。
【００１４】
前記外壁面１３には、二酸化チタン（ＴｉＯ２）からなる光触媒の表面層を形成しており、図４に示すように、前記散水配管３３の前記水平部分３３ａに開口した前記小孔３３ｂから散水されて前記外壁面１３に付着した水滴３４は前記光触媒の超親水作用により前記外壁面１３に水膜３４ａを形成するようにしている。
また、前記貯水タンク３の下方に排水用電磁弁３５を介設した排水管３６を接続し、前記排水管３６の端部を下水溝（図示せず）に開口している。
【００１５】
なお、前記貯水タンク３の貯水上限位置にバイパス排水管３７の一端を開口し、他端を前記排水管３６における前記排水用電磁弁３５の下流側に接続して、前記貯水タンク３からのドレンのオーバーフローを防止している。
次に、前記散水用電磁弁３２を開閉して前記外壁面１３への散水を制御する制御手段４の動作を図５により説明する。
【００１６】
図５において、４１は前記空気調和装置の前記室内ユニット２に設けられた運転スイッチ、４２は時刻を計時する時計、４３は前記建物１の前記外壁面１３近傍の外気温度を検出する温度センサー、４４は前記建物１の前記外壁面１３近傍の外気湿度を検出する湿度センサ−であり、これらの冷房運転信号及び計測出力は前記制御手段４に入力されるようにしている。
外壁面冷却手段は、前記ドレンパン２２からのドレンを前記散水用電磁弁３２の開閉により、前記建物１の前記外壁面１３に散水可能な前記散水配管３３により形成されており、前記制御手段４は、前記外壁面冷却手段を前記室内ユニット２の前記運転スイッチ４１からの冷房運転信号により冷房運転中であって、前記時計４２の計時により予め設定した時刻に作動させるとともに予め設定した時刻に不作動とするようにしている。
【００１７】
前記外壁面冷却手段を作動（前記散水電磁弁３２を開）開始とする時刻は例えば１３時に設定するのであり、不作動（前記散水電磁弁３２を閉）とする時刻は例えば１５時に設定するのである。
前記外壁面冷却手段の作動（前記散水電磁弁３２を開）及び不作動（前記散水電磁弁３２を閉）を上記の時間帯に設定することにより、夏季において最も外気温度が高いときの冷房負荷のピークを小さくして消費電力のピークを小さくすることができるようにしているのである。
【００１８】
ここで、前記外壁面冷却手段を作動させる時間を１３時から１５時としたときに、どれ位の量のドレン水を散水するのかを例示する。
前記建物１のワンフロアが３０ｍ四方で９００ｍ２の大きさとすると、最大冷房負荷は２００ｋｗ程度であり、潜熱負荷を４０％程度として、８時から１５時までの７時間の平均冷房負荷を１００ｋｗ程度とすると、前記貯水タンク３に１５時の時点で２８０Ｌ程度のドレン水が流入する。
【００１９】
なお、前記貯水タンク３の貯水容量としては、１３時からは前記室内ユニット２によるドレン量よりも散水量の方が多いので、８時から１３時までの５時間分が貯水できればよく、上記例では２００Ｌ程度が貯水できるようにするのである。
そして、ワンフロア分の高さを３ｍとし、前記建物１の外壁面部分が３０％（７０％が窓）とすれば、前記建物１において前記外壁面冷却手段により前記外壁面１３を冷却する箇所を前記建物１の一面とすれば、前記外壁面冷却手段により冷却する前記外壁面１３の面積は２７ｍ２となり、１ｍ２当たり、約５Ｌ／ｈのドレン水を１３時から１５時まで散水することができる。
【００２０】
前記外壁面冷却手段により冷却する前記外壁面１３は、ワンフロア毎に前記建物１の一面にのみ散水するのであり、夏季の１３時〜１５時に直射日光が当たり、冷房負荷が大きい南面や南西面とするのである。
また、前記制御手段４は、前記外壁面冷却手段を作動させる時間（例えば１３時〜１５時）であっても、外気温度を検出する前記温度センサー４３の計測温度が予め設定した温度よりも高いときにのみ、前記外壁面冷却手段を作動させ、予め設定した温度よりも低いときは前記外壁面冷却手段を不作動とするのである。
【００２１】
前記外壁面冷却手段を作動させる設定温度を例えば３０℃とし、前記外壁面冷却手段を不作動とする設定温度を例えば２８℃として、前記外壁面冷却手段の作動後に外気温度がディファレンシャルの２℃低下したときに前記冷却手段を不作動として、作動・不作動の繰返しを防止している。
さらに、前記制御手段４は、前記外壁面冷却手段を作動させる時間（例えば１３時〜１５時）及び外気温度（例えば３０℃以上）であっても、降雨時には前記外壁面冷却手段を作動させる必要がないため、外気湿度を検出する前記湿度センサー４４の計測湿度が予め設定した相対湿度よりも低いときにのみ、前記外壁面冷却手段を作動させ、予め設定した相対湿度よりも高いときは前記外壁面冷却手段を不作動とするのである。
【００２２】
前記外壁面冷却手段を作動させる設定相対湿度を例えば８０％とし、前記外壁面冷却手段を不作動とする設定相対湿度を例えば９０％として、前記外壁面冷却手段の作動後に外気相対湿度がディファレンシャルの１０％上昇したときに前記冷却手段を不作動として、作動・不作動の繰返しを防止している。
なお、前記制御手段４は、前記時計４２により、冷房シーズンの毎日２２時に一定時間前記排水用電磁弁３５を開いて前記貯水タンク３の貯水ドレンを下水溝に排水するようにしている。
【００２３】
以上説明したように、本発明の実施の形態１に係る外壁面冷却手段を備えた空気調和装置は、前記ドレンパン２２からのドレンを前記建物１の外壁面１３に散水可能な散水配管３３により形成されて前記外壁面１３を冷却する外壁面冷却手段と、前記外壁面冷却手段を前記室内ユニット２の前記運転スイッチ４１の冷房運転信号により冷房運転中であって前記時計４２により予め設定した時刻に作動させるとともに予め設定した時刻に不作動とする前記制御手段４とを備え、さらに、前記制御手段４が外気温度を検出する前記温度センサー４２を設けて前記外壁面冷却手段を、外気温度が予め設定した設定温度よりも高いとき作動させるとともに予め設定した設定温度よりも低いとき不作動とするように制御するとともに外気湿度を検出する前記湿度センサー４４を設けて前記外壁面冷却手段を、外気湿度が予め設定した相対湿度よりも低いとき作動させるとともに予め設定した相対湿度よりも高いとき不作動とするようにしたものである。
また、本発明の実施の形態１に係る外壁面冷却手段を備えた建物は、前記建物１の前記外壁面１３に光触媒の表面層を形成して、上述した空気調和装置による外壁面冷却手段を備えたものである。
【００２４】
以上の実施の形態１では、前記室内ユニット２に前記ドレンポンプ２３を設けたが、前記室内ユニット２の前記ドレン出口２４が前記貯水タンク３よりも高い位置で、前記ドレンパン２２からのドレンが前記貯水タンク３に自然流下できれば、前記ドレンポンプ２３は不要である。
【００２５】
実施の形態２．
次に、図６〜図８は、本発明の実施の形態２に係る図面であり、図６は全体の概略を示す説明図、図７はドレンパン周りの説明図、図８はブロック図である。
この実施の形態２は、実施の形態１における外壁面冷却手段の変形例であり、図６に示すように、図１に示す実施の形態１における前記貯水タンク３を省略している点と、図１に示す実施の形態１における前記散水用電磁弁３２及び前記排水用電磁弁３５に替えて三方切替電磁弁３９とした点と、図７及び図８に示すように、ドレンセンサー４５を設けてドレンポンプ２３を制御するようにした点とが相違する点である。
【００２６】
以下、実施の形態１と同様な構成については、同一の符号を付して説明を省略ないし簡略にし、実施の形態１と相違する構成について詳細に説明する。
図６において、散水兼排水管３８の端部に前記三方切替電磁弁３９を設けて、前記三方切替電磁弁３９の出口側を散水配管３３及び排水管３６を接続している。
【００２７】
図７及び図８において、室内ユニット２のドレンパン２２にドレンの上限位置を検出する前記ドレンセンサー４５を設けて、前記ドレンセンサー４５の上限位置信号を制御手段４に入力して、前記制御手段４から前記ドレンポンプ２３の所定時間の運転指令と同時に前記三方切替電磁弁３９を前記散水兼排水配管３８と前記排水管３６とが連通するように切替えるのである。
また、運転スイッチ４１、時計４２、温度センサー４３、湿度センサー４４は上述の実施の形態１と同様の構成であり、前記制御手段４により上述の実施の形態１における前記散水用電磁弁３２及び前記排水用電磁弁３５の制御に替えて、前記ドレンポンプ２３の駆動制御と、前記三方切替電磁弁３９の切替制御を行なうのである。
【００２８】
すなわち、上述の実施の形態１におけると同様条件で前記外壁面冷却手段を作動させるときは、前記ドレンポンプ２３を運転すると同時に前記三方切替電磁弁３９を前記散水兼排水配管３８と前記散水配管３３とが連通するように切替えるのである。
また、上述の実施の形態１におけると同様条件で前記外壁面冷却手段を不作動とするときは、前記ドレンポンプ２３を停止するのである。
【００２９】
なお、前記制御手段４は、前記時計４２により、冷房シーズンの毎日２２時に所定時間前記ドレンポンプ２３を運転すると同時に前記三方切替電磁弁３９を前記散水兼排水配管３８と前記排水管３６とが連通するように切替えて、前記室内ユニット２の前記ドレンパン２２に貯留するドレンを排水するのである。
この実施の形態では、実施の形態１で備えていた前記貯水タンク３を省略したので、前記室内ユニット２の前記ドレンパン２２の貯水可能容量を前記貯水タンク３と略同じ容量となるようにワンフロアの前記室内ユニット２の設置台数全体で分担するようにするのである。
【００３０】
例えばワンフロアの前記室内ユニット２の設置台数を１０台（図１及び図５では説明のために４台）とすれば、前記ドレンパン２２の貯水可能容量を平均２０Ｌ程度とするのである。
以上の実施の形態２では、前記散水兼排水配管３８の端部に前記三方切替電磁弁３９を設けたが、前記散水兼排水配管３８の端部を分岐させて、前記三方切替電磁弁３９に替えて散水用電磁弁と排水用電磁弁を設けてもよい。
【００３１】
そして、前記外壁面冷却手段を作動させるときは前記ドレンポンプ２３を運転し、前記散水用電磁弁を開くとともに前記排水用電磁弁を閉じ、前記外壁面冷却手段を不作動とするときは前記ドレンポンプ２３を停止し、前記ドレンセンサー４５の上限位置出力により一定時間前記ドレンポンプ２３を運転し、前記排水用電磁弁を開くとともに前記散水用電磁弁を閉じるのである。
【００３２】
実施の形態３．
次に、図９〜図１１は、本発明の実施の形態３に係る図面であり、図９は全体の概略を示す説明図、図１０はドレンパン周りの説明図、図１１はブロック図である。
この実施の形態３は、実施の形態２における外壁面冷却手段の変形例であり、図９に示すように、図６に示す実施の形態２における前記三方切替電磁弁３９を省略している点と、図６に示す実施の形態２における前記散水兼排水管３８に替えて図９に示すように、散水配管３３及び排水管３６をそれぞれドレンパンに接続している点と、図７及び図８に示す実施の形態２における前記ドレンセンサー４５を省略して図１０に示すように、ドレンパン２２の上限位置に排水管３６を接続して図１１に示すように制御手段４でドレンポンプ２３のみを制御するようにした点とが相違する点である。
【００３３】
以下、実施の形態２と同様な構成については、同一の符号を付して説明を省略ないし簡略にし、実施の形態２と相違する構成について詳細に説明する。
図９及び図１０において、室内ユニット２の前記ドレンパン２２には前記ドレンポンプ２３からの前記散水配管３３と、前記ドレンパン２２のドレン上限位置に前記排水管３６とを接続している。
【００３４】
そして、図１１に示すように、前記制御手段４は、運転スイッチ４１、時計４２、温度センサー４３、湿度センサー４４により前記ドレンポンプ２３の駆動制御を行うのである。
なお、この実施の形態では、前記ドレンパン２２はドレン上限位置までドレンを貯水するようにしているが、一端を前記ドレンパン２２の底部に接続し他端を前記排水管３６に接続するとともに手動開閉弁又は電磁弁を介設した水抜管を設けて、冷房シーズンの終了時に水抜きを行うようにしてもよい。
【００３５】
このように構成した実施の形態３は、図１１に示すように前記制御手段４により、上述の実施の形態２におけると同様条件で前記外壁面冷却手段を作動させるときは、前記ドレンポンプ２３を運転し、上述の実施の形態２におけると同様条件で前記外壁面冷却手段を不作動とするときは、前記ドレンポンプ２３を停止するのである。
【００３６】
実施の形態１〜実施の形態３の変形例
以上の実施の形態１〜実施の形態３では、前記制御手段４を前記温度センサー４３による外気温度及び前記湿度センサー４４による外気相対湿度により、外気温度が低いときや外気相対湿度が高いときは、前記外壁面冷却手段を不作動としたが、外気温度及び外気相対湿度にかかわらず、冷房運転中であって予め設定した時間帯は前記外壁面冷却手段を作動させるようにしてもよいし、外気温度が低いとき及び外気相対湿度が高いときのいずれか一方で前記外壁面冷却手段を作動させるようにしてもよい。
ただし、実施の形態１〜実施の形態３のように、外気温度が低いときや外気相対湿度が高いときは、前記外壁面冷却手段を不作動とすることにより、前記外壁面１３に散水したドレンが蒸発せずに前記建物１の近傍の通行人にかかることを防止しながら、冷房負荷のピークを小さくすることできる効果を発揮することができるようにすることが望ましい。
【００３７】
以上の実施の形態１〜実施の形態３では、前記外壁面冷却手段を前記建物１のフロア毎に形成したが、ワンフロアに複数の外壁面冷却手段を設けてもよく、複数フロア纏めて外壁面冷却手段を設けてもよい。
ただし、設備費用及び外壁面冷却手段の制御からは、フロア毎又はワンフロアに複数が望ましい。
【００３８】
また、以上の実施の形態１〜実施の形態３では、前記建物１の前記外壁面１３に光触媒の表面層を形成したが、外壁面冷却手段を備えた空気調和装置に係る本発明は、光触媒の表面層を形成していない外壁面の冷却に適用できることはもちろんである。
以上の実施の形態１〜実施の形態３では、空気調和装置の前記室内ユニット２を前記天井裏１１ｂ、１２ｂに設置して、ダクト接続により前記室内１１ａ、１２ａを冷房するようにしたが、吸込口及び吹出口を備えたグリルを天井面に設けた天井埋込型室内ユニットにしてもよい。
【００３９】
以上の実施の形態１及び実施の形態２では、前記制御手段４は、前記時計４２により、冷房シーズンの毎日２２時に、前記貯水タンク３の貯水ドレン（実施の形態１）又は前記室内ユニット２の前記ドレンパン２２のドレンを下水溝に排水するようにしているが、排水せずに翌日に持ち越すようにしてもよい。
【符号の説明】
【００４０】
１    建物
２    室内ユニット
４    制御手段
１１ａ、１２ａ  室内
１３    外壁面
２１  室内熱交換器
２２  ドレンパン
３３  散水配管
４３  温度センサー
４４  湿度センサー
【図１】
2013122343.tif 000003
【図２】
2013122343.tif 000004
【図３】
2013122343.tif 000005
【図４】
2013122343.tif 000006
【図５】
2013122343.tif 000007
【図６】
2013122343.tif 000008
【図７】
2013122343.tif 000009
【図８】
2013122343.tif 000010
【図９】
2013122343.tif 000011
【図１０】
2013122343.tif 000012
【図１１】
2013122343.tif 000013